(57)【特許請求の範囲】
【請求項１】
傾斜屋根の高い側に配置されて、屋根の傾斜方向と直角の方向を長手方向として配置される後座板と、傾斜屋根の低い側に配置されて、屋根の傾斜方向と直角の方向を長手方向として配置される前座板と、エアコン室外機を載置するものであって、後座板から水平方向に前座板側へ延びるベースと、ベースの前座板側端部から前座板に架けて配置されるステーと、後座板と前座板との距離を略一定とするようにベースの後座板側端部とステーの下端部との間に架け渡される補強部材とを有し、
前記後座板は、ベースの後座板側端部を取り付けるベース取付面部と屋根に支持される後支持面部とが一体に形成されたものであって、このベース取付面部は、後座板の長手方向に直交する方向からベースを所定の取付位置に位置させることが可能な形状であり、後支持面部は、傾斜屋根の高い側の端部における水平線を基準として傾斜屋根側の低い方向に低くなるように傾斜して形成され、
前座板は、ステーの下端部を取り付けるステー取付面部と屋根に支持される前支持面部とが一体に形成されたものであって、このステー取付面部は、前座板の長手方向に直交する方向からステーの下端部を所定の取付位置に位置させることが可能な形状であり、前支持面部は、傾斜屋根の低い側の端部における水平線を基準として傾斜屋根側の高い方向に高くなるように傾斜して形成され、
ベースは、後座板側端部がベース取付面部に直接固定され、前座板側端部がステーの上端部に回動自在に支持され、前記ステーは、伸縮自在に形成されるとともに、下端部が前座板のステー取付面部に直接固定されてなる
ことを特徴とするエアコン室外機の屋根置台。
【請求項２】
前記後座板は、ベース取付面部と後支持面部とこれらを連結する後連結面部とを有し、断面で見て、ベース取付面部は後連結面部に対し略Ｌ字状に形成され、後支持面部は、後連結面部に対し略Ｌ字状に形成されるとともに、ベース取付面部に略対向して形成され、さらに、前座板は、ステー取付面部と前支持面部とこれらを連結する前連結面部とを有し、断面で見て、ステー取付面部は前連結面部に対し略Ｌ字状に形成され、前支持面部は、前連結面部に対し略Ｌ字状に形成されるとともに、ステー取付面部に略対向して形成されてなることを特徴とする請求項１記載のエアコン室外機の屋根置台。
【請求項３】
前記後座板において、後支持面部は、ベース取付面部に対し後連結面部から遠くなるに従い開き気味に形成され、さらに、前記前座板において、前支持面部は、ステー取付面部に対し前連結面部から遠くなるに従い開き気味に形成されていることを特徴とする請求項２記載のエアコン室外機の屋根置台。
【請求項４】
前記後座板において、後支持面部は、後連結面部に近い部分では水平面に対する角度が大きく、後連結面部から遠い部分では水平面に対する角度が小さくなるように２分され、さらに、前記前座板において、前支持面部は、前連結面部に近い部分では水平面に対する角度が大きく、前連結面部から遠い部分では水平面に対する角度が小さくなるように２分されていることを特徴とする請求項３記載のエアコン室外機の屋根置台。
【請求項５】
前記後座板及び前座板において、後支持面部及び前支持面部は、後連結面部又は前連結面部に近い部分の水平方向に対する角度が約３０度であり、後連結面部又は前連結面部に遠い部分の水平方向に対する角度が約１１度であることを特徴とする請求項４記載のエアコン室外機の屋根置台。
【請求項６】
前記後座板は、ベース取付面部にベースの後座板側端部を固定するための飛び長孔が形成され、前記前座板は、ステー取付面部にステーの下端部を固定するための飛び長孔が形成されていることを特徴とする請求項１〜５の何れか１項記載のエアコン室外機の屋根置台。
【請求項７】
前記前座板と前記後座板とは、長手方向の中心線に対し対称的に形成されることにより、相互間で共通化されていることを特徴とする請求項１〜６の何れか１項に記載のエアコン室外機の屋根置台。
【請求項８】
前記前座板、前記後座板、前記ベース、前記ステー及び前記補強部材は、軽金属又は軽金属合金製であって、長手方向を押出方向として押出成型されてなることを特徴とする請求項１〜７の何れか１項に記載のエアコン室外機の屋根置台。
【発明の詳細な説明】
【技術分野】
【０００１】
本発明は、エアコン室外機の屋根置台に関し、特に、屋根の高い側に取り付けられる後座板と屋根の低い側に取り付けられる前座板との間隔を一定とするものに関する。
【背景技術】
【０００２】
従来のエアコン室外機の屋根置台として、エアコン室外機を取り付けるベースの、屋根の低い側の端部に取り付けられるステーの長さを調節自在とすることで、屋根の高い側に取り付けられる後座板と屋根の低い側に取り付けられる前座板との間隔を一定としたものが知られている。このようなものとしては例えば、非特許文献１に記載されたものがある。これを図１０乃至図１４に基づき説明する。
【０００３】
図１０の据付状態の斜視図に示すように、この屋根置台は、傾斜する屋根１００の高い側、すなわち山側（以下山側と称するときは傾斜する屋根の高い側をいうものとする）に配置されて、屋根１００の傾斜方向と直角方向を長手方向として配置される後座板１０１、後座板１０１から水平方向に前座板１０３側へ延びる一対のベース１０２、屋根１００の低い側、すなわち谷側（以下谷側と称するときは傾斜する屋根の低い側をいうものとする）に配置されて、屋根１００の傾斜方向と直角方向を長手方向として配置される前座板１０３、各ベース１０２の前座板１０３側から前座板１０３に架けて配置される一対のステー１０４、ベース１０２の後座板側端部とステー１０４の下端部との間に架け渡される一対の補強部材１０５などを有している。一対のベース１０２は、エアコン室外機の長手方向が建物の壁面に沿うように、エアコン室外機を載置させるためのものであって、設置されるエアコン室外機の取付ボルトの位置に合わせて配置されている。
【０００４】
後座板１０１は、図１０に示すように、底壁１１１と、底壁１１１の両端部から、すなわち、底壁１１１の山側端部及び谷側端部から立ち上げられた側壁１１２と、両側壁１１２の上端から対向する側壁に向けて延設される山側及び谷側の上壁１１４とを有し、両上壁１１４間にはスリット１１６が形成されている。このように、後座板１０１には底壁１１１と上壁１１４との間には、屋根１００の傾斜方向と直角方向に一定高さのスライド溝１１７が形成されている。また、このスライド溝１１７は、底壁１１１が屋根１００に当接するように配置させた場合に、スリット１１６を通じて上方に開放されている。
【０００５】
また、このスライド溝１１７には、図１１及び図１３に示すように、スライド溝１１７に山側連結部材１０６が摺動自在に取り付けられている。山側連結部材１０６は、スリット１１６の上に位置する部分がベース支持部１６１であり、下方は後座板１０１に取り付けられる脚部１６２である。ベース支持部１６１は、図１３に示すように、ベース１０２の山側端部の両側を挟み込む支持壁１６１ａ、１６１ｂを有し、この支持壁１６１ａ、１６１ｂによりボルト１６３を支軸としてベース１０２の山側端部を回動自在に支持している。脚部１６２は、図１１からよく分かるように、両上壁１１４の下面に沿うように配置された平面部１６２ａと、スライド溝１１７を形成する側壁１１２の内側に沿うように平面部１６２ａの山側及び谷側が下方に折り曲げられた垂下壁１６２ｂ、１６２ｃとを有している。このように形成された脚部１６２は、平面部１６２ａが上壁１１４の下面に沿うようにスライド溝１１７に対し側方から挿入されると、平面部１６２ａの上面が上壁１１４の下面に沿い、垂下壁１６２ｂ、１６２ｃが側壁１１２の内面に沿い、垂下壁１６２ｂ、１６２ｃの下端面がスライド溝１１７の底壁１１１で支持される状態となる。脚部１６２は、このように、スライド溝１１７内に摺動自在に収納されて、山側連結部材１０６が後座板１０１に取り付けられる。なお、脚部１６２は、スリット１１６を通じてベース支持部１６１に連結されている。
【０００６】
ベース１０２は、図１０に示すように、後座板１０１に取り付けられた山側連結部材１０６に対しベース１０２の後座板側端部が回動自在に連結されることにより、後座板１０１に対し、自由な角度を取り得るように連結され、惹いては、種々の傾斜角度の屋根１００に対して常に水平となるように調整可能とされている。また、ベース１０２は、谷側端部においては、ステー１０４と回動自在に連結されて支持されている。
【０００７】
このベース１０２は、上面と上面から垂下された側面を備えた形状であり、上面には、エアコン室外機を取り付けるための防振ゴム１２１が取り付けられている。防振ゴム１２１は、ベース１０２の上面に形成された長手方向に長い飛び長孔１２２に対し、スライド可能に取り付けられて入る。したがって、防振ゴム１２１は、エアコン室外機の取付ボルトの位置に対応してベース１０２の長手方向に調整可能に取り付けられている。
【０００８】
ステー１０４は、図１０に示すように、上端部でベース１０２に回動自在に連結され、下端部において後述する谷側連結部材１０７を介して前座板１０３に回動自在に連結されている。また、ステー１０４は、ベース１０２に回動自在に連結される上ステー１４１と、前座板１０３に回動自在に連結される下ステー１４２とに分離されて形成されている。また、両者は略同形、異サイズに形成されてなり、結合部分では重ね合わされ、この重ね合わせ寸法を可変とするように形成されている。具体的には、上ステー１４１も下ステー１４２も断面が略逆Ｕ字型に形成され、下ステー１４２が上ステー１４１に対し谷側からスライド可能に重ね合わされ、重ね合わされた寸法を変化させることができる構成となっている。また、両者１４１、１４２を所定の重ね合わせ寸法位置で固定させることができるように、この重ね合わせ部分における谷側に面する壁部には、連結孔としての長孔１４３が設けられている。そして、ステー１０４は、長孔１４３にボルト１４４を挿通し、このボルト１４４にナット（図示せず）を締結することにより、所定長さに保持できるように構成されている。
【０００９】
前座板１０３は、後座板１０１と同様の構造を成している。すなわち、図１０に示すように、前座板１０３は、底壁１３１と、底壁１３１の山側端部及び谷側端部から立ち上げられた側壁１３２と、両側壁１３２の上端から対向する側壁１３２に向けて延設された山側及び谷側の上壁１３４とを有し、両上壁１３４間にはスリット１３６が形成されている。また、底壁１３１と上壁１３４との間には、屋根１００の傾斜方向と直角方向に一定高さのスライド溝１３７が形成されている。そして、このスライド溝１３７は、底壁１３１が屋根に当接するように配置された場合に、スリット１３６を通じて上方に開放されている。
【００１０】
さらに、スライド溝１３７には、谷側連結部材１０７が摺動自在に取り付けられている。谷側連結部材１０７は、図１２及び図１４に示すように、スリット１３６の上に位置する部分がステー支持部１７１であり、下方は前座板１０３に取り付けられる脚部１７２を成している。ステー支持部１７１は、図１４に示すように、下ステー１４２の下端部の両側を挟み込む支持壁１７１ａ、１７１ｂを有し、この支持壁１７１ａ、１７１ｂによりボルト１７３を支軸として下ステー１４２の下端部を回動自在に支持している。
【００１１】
脚部１７２は、図１２に示すように、両上壁１３４の下面に沿うように配置された平面部１７２ａと、スライド溝１３７を形成する側壁１３２の内側に沿うように平面部１７２ａの山側及び谷側が下方に折り曲げられた垂下壁１７２ｂ、１７２ｃとを有している。このように形成された脚部１７２は、平面部１７２ａが上壁１３４の下面に沿うようにスライド溝１３７に対し側方から挿入されると、平面部１７２ａの上面が上壁１３４の下面に沿い、垂下壁１７２ｂ、１７２ｃが側壁１３２に沿い、垂下壁１７２ｂ、１７２ｃの下端面がスライド溝１３７の底壁１３１で支持される状態となる。脚部１７２は、このように、スライド溝１３７内に摺動自在に収納されて、谷側連結部材１０７が前座板１０３に取り付けられる。スライド溝１３７内を摺動自在となるように前座板１０３に取り付けられる。なお、脚部１７２は、スリット１３６を通じてステー支持部１７１に連結されている。
【００１２】
補強部材１０５は、図１０に示されるが、断面Ｌ字型の長尺部材であり、側面部１５１の山側端部がベース１０２の山側端部に固定されている。この固定は、図１３に示すように、ベース１０２を回動可能に軸支するボルト１６３により、山側連結部材１０６に対しベース１０２の山側端部と共締めされて固定されている。また、補強部材１０５の谷側端部は、側面部１５１の谷側端部が下ステー１４２の下端部に固定されている。この固定は、図１４に示すように、下ステー１４２を回動可能に軸支するボルト１７３により、谷側連結部材１０７に対し下ステー１４２と共締めされて固定されている。
【００１３】
上記のように構成されたエアコン室外機の屋根置台は、次のように組み立てられていた。なお、ベース１０２とステー１０４とは、ステー１０４の上端部とベース１０２の谷側端部との間で予め回動自在に組みつけられて梱包されていた。また、この梱包状態においては、この組みつけられたものは、回動自在に連結されている部分で二つ折り状態にして設置場所に運ばれていた。
【００１４】
設置場所においては、まず、一対の山側連結部材１０６の脚部１６２が後座板１０１のスライド溝１１７に対し側方からスライド式に挿入される。一対の山側連結部材１０６の取付位置は、ベース１０２上の防振ゴム１２１とエアコン室外機の取付ボルト位置とが合致するように定められる。位置決めされた山側連結部材１０６は、小ねじにより固定されるが、この部分の詳細構造については図示を省略する。同様に、一対の谷側連結部材１０７の脚部１７２を、前座板１０３の側方からスライド式に挿入して、略所定位置に位置させる。次いで、小ねじにより谷側連結部材１０７を前座板１０３に固定する（図示せず）。
【００１５】
次に、一対のベース１０２とステー１０４との組み付け品を、梱包状態の折りたたみ状態から据え付け時の状態に広げる。そして、ベース１０２の山側端部を、上記のように取り付けられた山側連結部材１０６のベース支持部１６１においてボルト１６３を支軸として回動可能に固定する。また、ステー１０４の下端部を、谷側連結部材１０７のステー支持部１７１においてボルト１７３を支軸として回動可能に固定する。このとき一対の補強部材１０５の山側を、ボルト１６３によりベース１０２の山側端部と共締めして、山側連結部材１０６に固定する。また、補強部材１０５の谷側を、ボルト１７３により下ステー１４２の下端部と共締めして、谷側連結部材１０７に固定する。
【００１６】
このようにして、ベース１０２、ステー１０４、後座板１０１、前座板１０３及び補強部材１０５を組み付け状態にした後、設置しようとする屋根の傾斜角度に合うように、ベース１０２の水平出しを行う。この水平出しは、ステー４の長さを調整することにより行われる。ステー４の長さの調整は、上ステー１４１と下ステー１４２の重なり寸法を調整し、調整された位置で上ステー１４１と下ステー１４２との間をボルト１４４にナット（図示せず）を締結することにより行われる。このようにして組み立てられた屋根置台は、屋根１００の上に載せて、図１０に示すように、建物の壁内の柱６１にヒートン釘６２を留め、このヒートン釘６２と後座板１０１との間に針金６３を渡して引き留めるように設置されている。
【非特許文献１】オーケースカイキーパ屋根直角置台据付説明書  オーケー器材株式会社  ２００３年
【発明の開示】
【発明が解決しようとする課題】
【００１７】
しかしながら、このような従来のエアコン室外機用の壁面取付型屋根においては、山側連結部材１０６及び谷側連結部材１０７を後座板１０１及び前座板１０３に差し込む作業が厄介であった、特に屋根１００の上でこの位置を調節する必要が生じた場合は、ベース１０２、ステー１０４、山側連結部材１０６及び谷側連結部材１０７を組み合わせたものをスライドさせて位置調整する作業が必要となるが、この作業が容易にできないという問題があった。また、山側連結部材１０６や谷側連結部材１０７を必要とするため部品点数が多く、コストアップの要因ともなっていた。
【００１８】
本発明は、上記従来技術における問題点に鑑み成されたものであり、据付作業を容易に行えるようにするとともに、連結部材を使用しない構造とすることにより部品点数を削減したエアコン室外機の屋根置台を提供することにある。
【課題を解決するための手段】
【００１９】
本発明に係るエアコン室外機の屋根置台は、傾斜屋根の高い側に配置されて、屋根の傾斜方向と直角の方向を長手方向として配置される後座板と、傾斜屋根の低い側に配置されて、屋根の傾斜方向と直角の方向を長手方向として配置される前座板と、エアコン室外機を載置するものであって、後座板から水平方向に前座板側へ延びるベースと、ベースの前座板側端部から前座板に架けて配置されるステーと、後座板と前座板との距離を略一定とするようにベースの後座板側端部とステーの下端部との間に架け渡される補強部材とを有し、前記後座板は、ベースの後座板側端部を取り付けるベース取付面部と屋根に支持される後支持面部とが一体に形成されたものであって、このベース取付面部は、後座板の長手方向に直交する方向からベースを所定の取付位置に位置させることが可能な形状であり、後支持面部は、傾斜屋根の高い側の端部における水平線を基準として傾斜屋根側の低い方向に低くなるように傾斜して形成され、前座板は、ステーの下端部を取り付けるステー取付面部と屋根に支持される前支持面部とが一体に形成されたものであって、このステー取付面部は、前座板の長手方向に直交する方向からステーの下端部を所定の取付位置に位置させることが可能な形状であり、前支持面部は、傾斜屋根の低い側の端部における水平線を基準として傾斜屋根側の高い方向に高くなるように傾斜して形成され、ベースは、後座板側端部がベース取付面部に直接固定され、前座板側端部がステーの上端部に回動自在に支持され、このステーは、伸縮自在に形成されるとともに、下端部が前座板のステー取付面部に直接固定されてなることを特徴とする。
【００２０】
このように構成された本発明に係るエアコン室外機の屋根置台によれば、補強部材により後座板と前座板との間隔が一定とされているので、ベースの水平出しは、ステーの長さを調節してステーの傾斜角度を変化させることにより行うことができる。すなわち、屋根の傾斜角度が大きいときはステーを長くして水平線に対するステーの傾斜角度を大きくし、屋根の傾斜角度が小さいときはステーを短くして水平線に対するステーの傾斜角度を小さくすることにより行うことができる。このとき、後座板ではベース取付面部にベースの後座板側端部が直接固定されているので、後座板は屋根の傾斜角度に関係なく常に一定の方向で設置される。一方、前座板は、ステー取付面部にステーの下端部が直接固定されているので、ステーの傾斜角度とともに前支持面部の向きが変化する。したがって、ベースの水平出しは、従来必要としていた山側及び谷側の連結部材を必要としない。この結果、部品工数を削減することができ、簡略な構成とすることができる。また、ベースの後座板側端部又はステーの下端部は、後座板のベース取付面部及び前座板のステー取付面部に対し、所定位置において後座板又は前座板の長手方向に直交する方向から固定することができるので、組立作業が容易化され効率化される。また、本発明では、後座板の後支持面部が傾斜屋根の高い側の端部における水平線を基準として傾斜屋根の低い方向に低くなるように傾斜して形成されているので、後支持面部が屋根の傾斜に略沿う状態となる。また、前座板の前支持面部が傾斜屋根の低い側の端部における水平線を基準として傾斜屋根の高い方向に高くなるように傾斜して形成されているので、前支持面部が屋根の傾斜に略沿う状態となる。したがって、後座板及び前座板を安定して設置することができる。
【００２１】
また、前記後座板は、ベース取付面部と後支持面部とこれらを連結する後連結面部とを有し、断面で見て、ベース取付面部は後連結面部に対し略Ｌ字状に形成され、後支持面部は、後連結面部に対し略Ｌ字状に形成されるとともに、ベース取付面部に略対向して形成されてなる構成としてもよい。同様に、前座板も、ステー取付面部と前支持面部とこれらを連結する前連結面部とを有し、断面で見て、ステー取付面部は前連結面部に対し略Ｌ字状に形成され、前支持面部は、前連結面部に対し略Ｌ字状に形成されるとともに、ステー取付面部に略対向して形成されてなる構成としてもよい。このように構成すれば、後座板１及び前座板２の断面経数が大きくなって強度が向上する。
【００２２】
また、上記後座板において、後支持面部を、ベース取付面部に対し後連結面部から遠くなるに従い開き気味に形成し、さらに、前座板において、前支持面部を、ステー取付面部に対し前連結面部から遠くなるに従い開き気味に形成してもよい。このようにすれば、ベースの後座板側端部をベース取付面部と後支持面部との間に差し入れして、ベースをベース取付面部に容易に固定することができる。また、ステーの下端部をステー取付面部と前支持面部との間に差し入れして、ステーをステー取付面部に容易に固定することができる。また、このように、ベースの後座板側端部及びステーの下端部を固定することにより、これら固定周りの見栄えが良好となる。
【００２３】
また、前記後座板において、後支持面部は、後連結面部に近い部分（根元部分）では水平面に対する角度が大きく、後連結面部から遠い部分（先端部分）では水平面に対する角度が小さくなるように２分され、さらに、前記前座板において、前支持面部は、前連結面部に近い部分（根元部分）では水平面に対する角度が大きく、前連結面部から遠い部分（先端部分）では水平面に対する角度が小さくなるように２分されている形状としてもよい。このようにすれば、後座板及び前座板において、傾斜角度の大きい屋根では底壁に近い部分（根元部分）が屋根の傾斜面に接し、傾斜角度の小さい屋根では底壁に遠い部分（先端部分）が屋根の傾斜面に接するようになるので、種々の傾斜角度の屋根に対して適用することができる。
【００２４】
また、前記後座板及び前座板において、後連結面部又は前連結面部に近い部分の水平方向に対する角度が約３０度であり、後連結面部又は前連結面部に遠い部分の水平方向に対する角度が約１１度であるのが好ましい。屋根の角度は、積雪の有無あるいは多少により異なっている。積雪量の多いところでは約３０度であり、積雪のほとんどないところでは約１１度とされている。したがって、上記のように、後座板及び前座板における後支持面部及び前支持面部を設定することにより、本屋根置台を大半の屋根に適用できるようになる。
【００２５】
また、前記後座板は、ベース取付面部にベースの後座板側端部を固定するための飛び長孔が形成され、前記前座板は、ステー取付面部にステーの下端部を固定するための飛び長孔が形成されるようにしてもよい。このように構成することにより、ベース又はステーの取付位置を後座板及び前座板の長手方向に調整することができる。したがって、ベースの取付位置を、容易にエアコン室外機の取付ボルトの位置に合わせることができる。
【００２６】
また、前記前座板と前記後座板とは、長手方向の中心線に対し対称的に形成されることにより、相互間で共通化するようにしてもよい。このようにすれば、部品の共通化が図れ、コスト軽減を行うことができる。
【００２７】
また、前記前座板、前記後座板、前記ステー及び前記補強部材は、それぞれ軽金属合金により長手方向に押出成型されてなるように形成してもよい。このようにすれば、屋根置台が軽量化されて作業性が向上するとともに、屋根置台の見栄えを向上させることができる。
【発明の効果】
【００２８】
本発明に係るエアコン室外機の屋根置台によれば、従来必要としていた山側及び谷側の連結部材を使用しないでベースの水平出しを行うことができるので、部品工数を削減することができ、簡略な構成とすることができる。また、ベースの後座板側端部又はステーの下端部を、後座板又は前座板の長手方向の所定位置で、後座板及び前座板の長手方向に直交する方向から固定することができるので、組立作業が容易化され効率化される。また、後支持面部及び前支持面部が傾斜屋根に沿う状態となるので、後座板及び前座板を安定して設置することができる。
【発明を実施するための最良の形態】
【００２９】
以下、本発明を具体化した実施の形態に係るエアコン室外機の屋根置台を図１〜図５に基づいて説明する。
本実施の形態に係るエアコン室外機の屋根置台は、エアコン室外機を、長手方向が屋根の傾斜方向と直角の方向に設置するものであって、図１の本実施の形態に係るエアコン室外機の据付状態の斜視図に示すように、屋根１００の山側（屋根の高い側）に配置されて、屋根１００の傾斜方向と直角の方向を長手方向として配置される後座板１と、屋根１００の谷側（屋根の低い側）に配置されて、屋根１００の傾斜方向と直角の方向を長手方向として配置される前座板２と、エアコン室外機を載置するものであって、後座板１から水平方向に前座板２側へ延びるベース３と、ベース３の前座板側端部から前座板２に架けて配置されるステー４と、後座板１と前座板２との距離を略一定とするようにベース３の後座板側端部とステー４の下端部との間に架け渡される補強部材５とを有している。
【００３０】
前記後座板１は、図１及び図２に示すように、後連結面部１１を介してベース取付面部１２と後支持面部１３とが一体に形成されたものである。ベース取付面部１２はベース３の後座板側端部を取り付ける面部である。後支持面部１３は、屋根１００上に支持される面部である。また、後座板１は、断面で見て、ベース取付面部１２が後連結面部１１に対し略Ｌ字状に形成され、後支持面部１３が後連結面部１１に対し略Ｌ字状に形成されている。
【００３１】
そして、ベース取付面部１２は、略水平となるように形成されている。また、後支持面部１３は、ベース取付面部１２に対し後連結面部１１から離れるに従い開き気味に対向して形成されている。また、この後支持面部１３は、傾斜屋根の高い側の端部、すなわち、後連結面部１１側の端部における水平線を基準として、傾斜屋根側の低い方向に低くなるように傾斜して形成されている。このように、ベース取付面部１２の下面には、後座板１の長手方向に直交する方向からベース３の山側端部の上面をベース取付面部１２の下面に接触させることができるように形成されている。
【００３２】
また、後座板１の後支持面部１３は、後連結面部１１に近い部分、すなわち根元部分１３ａでは水平面に対する角度が大きく、後連結面部１１から遠い部分、すなわち先端部分１３ｂでは水平面に対する角度が小さくなるように２分されている。この傾斜角度は、概ね屋根１００の傾斜角度を考慮して定められている。具体的には、屋根１００の傾斜角度は１１度〜３０度であるので、根元部分１３ａの傾斜角度を３０度とし、先端部分１３ｂの傾斜角度を１１度としている。このようにすると、屋根角度が３０度の場合には根元部分１３ａが屋根１００に接し、屋根角度が１１度の場合には先端部分１３ｂが屋根１００に接し、その中間の場合は、根元部分１３ａと先端部分１３ｂとの境界部で接するようになる。このため、境界部はやや丸みを付けた形状にするのが望ましい。
【００３３】
また、後座板１においてベース取付面部１２には、ベース３を固定するための飛び長孔１４が形成されている。また、後連結面部１１には、建物壁面へ屋根置台を引き留める針金を固定するための飛び長孔１５が形成されている。また、この後座板１は、長手方向の中心線を対称軸として対称的に製作されている。
【００３４】
前座板２は、後座板１の向きを反転し、傾斜屋根に載置して使用するものであるが、以下載置された状態に基づいて説明する。前座板２は、図１及び図３に示すように、前連結面部２１を介してステー取付面部２２と前支持面部２３とが一体に形成されたものである。ステー取付面部２２はステー４の下端部を取り付ける面部である。前支持面部２３は、屋根１００上に支持される面部である。また、前座板２は、断面で見て、ステー取付面部２２が前連結面部２１に対し略Ｌ字状に形成され、前支持面部２３が前連結面部２１に対し略Ｌ字状に形成されている。
【００３５】
そして、ステー取付面部２２は、ステー４の前面と平行になるように形成されている。また、前支持面部２３は、ステー取付面部２２に対し前連結面部２１から離れるに従い開き気味に対向して形成されている。さらに、前支持面部２３は、傾斜屋根の低い側の端部、すなわち前連結面部２１側の端部、における水平線を基準として、傾斜屋根側の高い方向に高くなるように傾斜して形成されている。このように、前座板２の長手方向に直交する方向からステー４の下端部の前面を、ステー取付面部２２の山側の面に接触させることができるように形成されている。
【００３６】
また、前座板２の前支持面部２３は、前連結面部２１に近い部分、すなわち根元部分２３ａでは、水平面に対する角度が大きく、前連結面部２１から遠い部分、すなわち先端部分２３ｂでは、水平面に対する角度が小さくなるように２分されている。この傾斜角度は、屋根１００の傾斜角度を考慮して定められている。具体的には、屋根１００の傾斜角度は概ね１１度〜３０度であるので、根元部分２３ａの角度を略３０度とし、先端部分２３ｂの角度を略１１度としている。このようにすると、屋根角度が３０度の場合には根元部分２３ａが屋根１００に接し、屋根角度が１１度の場合には先端部分２３ｂが屋根１００に接し、その中間の場合は、根元部分２３ａと先端部分２３ｂとの境界部で接するようになる。このため、境界部はやや丸みを付けた形状にするのが望ましい。
【００３７】
また、図１に示すように、前座板２のステー取付面部２２には、ステー４を固定するための飛び長孔２４が形成されている。また、前連結面部２１には、前座板２として使用される場合に、建物壁面へ屋根置台を引き留める針金を固定するための飛び長孔２５が形成されている。この飛び長孔２５は、前座板２として使用するときには不要のものである。以上の如く、前座板２は、後座板１の向き、すなわち、後座板１の谷側を山側とするように向きを変更して取り付けたものであって、部品としては後座板１と同一形状及び構造である。したがって、この前座板２における符号２１、２２、２３、２３ａ、２３ｂ、２４、２５の部分は、後座板１における符号１１、１２、１３、１３ａ、１３ｂ、１４、１５の部分に対応する。
【００３８】
ベース３は、図１に示すように、上面３１、側面３２、３３を備えた溝形状であって、上面３１に長手方向に長い長孔３４、３５を備えている。この長孔３４、３５は、エアコン室外機を取り付けるための防振ゴム３６の取付孔を成す。また、ベース３の後座板側端部は、図２に示すように、その上面３１が、後座板１の長手方向と直交する方向の山側から、ベース取付面部１２の下面に接触するように差し込まれる。また、図２に示すように、ベース３の後座板側端部にはボルト孔３７が形成され、このボルト孔の下面にはねじ座（図示せず）が取り付けられている。そして、ベース取付面部１２の長孔１４からボルト孔３７を介してボルト１６が挿入され、このボルト１６がボルト孔３７裏面の上記ねじ座（図示せず）螺合されることにより、ベース３の後座板側端部が後座板１に固定されている。一方、ベース３の谷側端部は、ステー４により回動自在に支持されている。
【００３９】
ステー４は、図１に示されるが、伸縮自在に形成されるとともに、上端部がベース３に対し回動自在に連結され、下端部がステー取付面部２２の山側面に固定されている。ステー４は、ベース３に回動可能に連結される上ステー４１と、前座板２に固定される下ステー４２とに分離されて形成されている。両者４１、４２は、略同形、異サイズに形成されてなり、図１に示すように結合部分では重ね合わされ、この重ね合わせ寸法を可変とすることにより伸縮自在とするように形成されている。具体的には、上ステー４１も下ステー４２も断面が略逆Ｕ字型に形成され、下ステー４２が上ステー４１の谷側からスライド可能に重ね合わされ、重ね合わせ寸法を変化させることができる構成となっている。この点の構造は従来のものと同様であるが、両者４１、４２を所定の重ね合わせ寸法位置で固定させることができるように、この重ね合わせ部分における谷側に面する前面壁部４３に、連結孔としての長孔４４が設けられている。そして、この長孔４４にボルト４５を挿通し、ナットで締結することにより、ステー４を所定長さに保持できるように構成されている。
【００４０】
また、下ステー４２の下端部は、図３に示すように、前座板２に対し、所定位置において、その前面壁部４３がステー取付面部２２の山側面に接触するように、ステー４の長手方向に直交する方向の山側から取り付けられる。下ステー４２の前面壁部４３の下端部には、ボルト孔４６が形成されており、その山側面にはねじ座（図示せず）が取り付けられている。下ステー４２を固定するときは、ステー取付面部２２の長孔２４からボルト２６をボルト孔４６に挿通し、このボルト２６をボルト孔４６の山側面のねじ座（図示せず）に螺合している。
【００４１】
補強部材５は、断面Ｌ字型の長尺部材であって、側面の山側端部がベース３の山側端部にボルト５１により固定され、側面の谷側端部が下ステー４２の下端部にボルト５２により固定されている。補強部材５がこのように取り付けられることにより、後座板１と前座板２との間隔が略一定に維持される。
【００４２】
以上のように構成された後座板１、前座板２、ベース３、ステー４及び補強部材５は、それぞれ、アルミニウム又はアルミニウム合金により長手方向を押出方向として押出成型されている。
【００４３】
次に、このように構成されたエアコン室外機の屋根置台の取り付け手順について説明する。
まず、後座板１、前座板２、ベース３とステー４を回動自在に組み付けた一対の組み付け品、一対の補強部材５などを用意する。次に、ベース３とステー４を回動自在に組み付けた組み付け品に補強部材５を取り付ける。この取付は、図１に示すように、補強部材５の側面の山側端部をベース３の山側端部に対しボルト５１で回動可能に固定し、補強部材５の側面の谷側端部を下ステー４２の下端部に対しボルト５２で回動可能に固定する。
【００４４】
次に、補強部材５の取り付けられた組み付け品を後座板１と前座板２に固定する。後座板１との固定は、図２に示すように、ベース３の後座板側端部を、後座板１の長手方向の所定の位置で、ベース３の長手方向と直交する方向の谷側から後座板１のベース取付面部１２の下面に沿わせる。次いで、ベース３の上面３１に形成されたボルト孔３７を、所定の長手方向の位置で飛び長孔１４に合わせる。そして、飛び長孔１４からボルト孔３７に対してボルト１６を挿通し、ボルト孔３７の裏面に設けられたねじ座（図示せず）に螺合する。これによりベース３の後座板側端部が後座板１に固定される。
【００４５】
また、前記補強部材５の取り付けられた組み付け品と前座板２との固定は、図３に示すように、下ステー４２の下端部を所定の位置で、ステー４の長手方向と直交する方向の山側から前座板２のステー取付面部２２の背面に沿わせる。次いで、下ステー４２の前面壁部４３に形成されたボルト孔４６を、所定の長手方向の位置で飛び長孔２４に合わせる。そして、飛び長孔２４からボルト孔４６に対してボルト２６を挿通し、このボルト２６をボルト孔３７の裏面に設けられたねじ座（図示せず）に螺合する。これにより下ステー４２の下端部が前座板２に固定される。
【００４６】
以上のようにして、組み立てられた屋根置台に対して、図１に示すように、後座板１及び前座板２における屋根に接する部分に、プラスチック製の屋根脚１ａ、２ａを、取り付ける。この屋根脚１ａ、２ａは、屋根に対するクッション材として機能する。次に、図４（ａ）に示すように屋根の上に引き上げる。そして、図４（ｂ）に示すように、ベース３の水平出しを行う。ベース３の水平出しは、上ステー４１と下ステー４２との重ね合わせ寸法を調節して行う。上ステー４１と下ステー４２との重ね合わせ寸法が、地上において予め調節されており、屋根１００の上に引き上げた状態でベース３の水平度に狂いがなければこの調整は行う必要がない。なお、図４においては、前述の屋根脚１ａ、２ａは省略して図示している。
【００４７】
次に、ベース３の水平出しが完了した屋根置台を、建物の壁内の柱６１に引き留める作業を行う。これには図１に示すように、まず建物の壁内の柱６１にヒートン釘６２を打ち付けて固定する。次いで、屋根置台を引っ張る針金６３の一端部をヒートン釘６２にしっかり巻き付けて固定する。また、この針金６３の反対側端部を、後座板１の後連結面部１１に設けられた飛び長孔１５の適宜の位置にしっかり巻き付ける。このような針金６３による引き留めは、ベース３が後座板１に固定されている付近において行うのが効果的である。
【００４８】
以上のように構成されたエアコン室外機の屋根置台によれば、次の効果を奏することができる。
（１）ベース３の水平出しは、補強部材５により後座板１と前座板２との間隔が一定とされているので、ステー４の長さを調節してステー４の傾斜角度を変化させることにより行うことができる。具体的には、屋根１００の傾斜角度が大きいときはステー４を長くして水平線に対するステー４の傾斜角度を大きくし、屋根１００の傾斜角度が小さいときはステー４を短くして水平線に対するステー４の傾斜角度を小さくする。このとき、後座板１ではベース取付面部１２にベース３の後座板側端部が直接固定されているので、後座板１は屋根の傾斜角度に関係なく常に一定の方向で設置される。一方、前座板２は、ステー取付面部２２にステー４の下端部が直接固定されているので、ステー４の傾斜角度とともに前支持面部２３の向きが変化する。このように、ベース３の水平出しは、従来必要としていた山側及び谷側の連結部材を必要としないので、部品工数を削減することができ、簡略な構成とすることができる。
【００４９】
（２）また、ベース３と、ステー４と、補強部材５とを組み上げた組立品の後座板１及び前座板２への取付は、ベース３の後座板側端部又はステー４の下端部を後座板１又は前座板２の長手方向における所定の位置において、後座板１又は前座板２の長手方向に直交する方向から取付位置に接触させて固定することができるので、組立作業が容易化され、効率化される。
【００５０】
（３）また、後座板１の後支持面部１３は、後連結面部１１の端部（傾斜屋根の高い側の端部）における水平線を基準として、傾斜屋根の低い方向に低くなるように傾斜して形成されているので、屋根１００の傾斜に略沿う状態となる。また、前座板２の前支持面部２３は、後連結面部１１の端部（傾斜屋根の低い側の端部）における水平線を基準として傾斜屋根の高い方向に高くなるように傾斜して形成されているので、屋根１００の傾斜に略沿う状態となる。したがって、後座板１及び前座板２を安定して設置することができる。
【００５１】
（４）また、後座板１は、断面で見て、ベース取付面部１２が後連結面部１１に対し略Ｌ字状に形成され、後支持面部１３が後連結面部１１に対し略Ｌ字状に形成されるとともにベース取付面部１２に略対向して形成されている。また、前座板２も同様の構成であって、断面で見て、ステー取付面部２２が前連結面部２１に対し略Ｌ字状に形成され、前支持面部２３が前連結面部２１に対し略Ｌ字状に形成されるとともにステー取付面部２２に略対向して形成されている。また、ステー取付面部２２に略対向して形成されている。したがって、後座板１及び前座板２の断面経数が大きくなって強度が向上する。
【００５２】
（５）また、後座板１の後支持面部１３が、ベース取付面部１２に対し後連結面部１１から遠くなるに従い開き気味に形成され、さらに、前座板２の前支持面部２３が、ステー取付面部２２に対し前連結面部２１から遠くなるに従い開き気味に形成されているので、ベース３をベース取付面部と後支持面部１３との間に差し入れして、ベース３をベース取付面部１２に容易に固定することができる。また、ステー４をステー取付面部２２と前支持面部２３との間に差し入れして、ステー４をステー取付面部２２に容易に固定することができる。また、このように、ベース３の後座板側端部及びステー４の下端部を固定することにより、これら固定周りの見栄えが良好となる。
【００５３】
（６）また、後座板１及び前座板２において、後支持面部１３び前支持面部２３は、根元部分１３ａ、２３ａでは水平面に対する角度が大きく、先端部分１３ｂ、２３ｂでは水平面に対する角度を小さくしているので、傾斜角度の大きい屋根１００では根元部分１３ａ、２３ａが屋根１００の傾斜面に接し、傾斜角度の小さい屋根１００では先端部分１３ｂ、２３ｂが屋根１００の傾斜面に接するようになり、種々の傾斜角度の屋根１００に対して適用することができるようになる。因みに、図４（ｂ）の設置状態は、屋根１００の傾斜角度が３０度の場合であり、根元部分１３ａ、２３ａが屋根１００の傾斜面に接している。図５の設置状態は、屋根１００の傾斜角度が１１度の場合であって、先端部分１３ｂ、２３ｂが屋根１００の傾斜面に接している。
【００５４】
（７）また、後支持面部１３の根元部分１３ａの水平面に対する角度を約３０度とし、先端部分１３ｂの水平面に対する角度を約１１度としたので、本屋根置台を大半の屋根１００に適用することができる。すなわち、屋根１００の角度は、積雪の有無あるいは多少により異なっているが、積雪量の多いところでは約３０度であり、積雪のほとんどないところでは約１１度とされている。したがって、上記のように後座板１及び前座板２における後支持面部１３及び前支持面部２３を設定することにより、本屋根置台を大半の屋根に適用できるようになる。
【００５５】
（８）また、後座板１のベース取付面部１２にベース３の後座板側端部を固定するための飛び長孔１４が形成され、前座板２のステー取付面部２２にステー４の下端部を固定するための飛び長孔２４が形成されているので、ベース３又はステー４の取付位置を後座板１及び前座板２の長手方向に調整することができる。したがって、ベース３の取付位置を、容易にエアコン室外機の取付ボルト位置に合わせることができる。
【００５６】
（９）また、後座板１及び前座板２は、長手方向の中心線に対し対称的に形成されているので、両者の共通化が図れ、部品の共通化によりコストを低減することができる。
（１０）後座板１、前座板２、ベース３、ステー４及び補強部材５は、それぞれアルミニウム又はアルミニウム合金により長手方向を押出方向として押出成型されているので、屋根置台が軽量化され作業性が向上するとともに、屋根置台の見栄えが向上する。
【００５７】
以上説明した本実施の形態に係るエアコン室外機の屋根置台は、一例を示すものであり、本発明の範囲内において適宜変更できるものである。例えば、次のように変形することができる。
【００５８】
（１）前記実施の形態における後座板１の後連結面部１１を、図６に示すような曲面の後連結面部１１Ａに変更してもよい。なお、図６は。後座板１の後連結面部１１の変形例を図示するものであって、この図においては、前記実施の形態と同一或いは対応する部分には同一の符号を付している。
【００５９】
（２）前記実施の形態における前座板２の前連結面部２１を、図７に示すような曲面の前連結面部２１Ａに変更してもよい。なお、図７は。前座板２の前連結面部２１の変形例を図示するものであって、この図においては、前記実施の形態と同一或いは対応する部分には同一の符号を付している。
【００６０】
（３）また、前記実施の形態におけるベース３の山側端部、特に後座板１に固定する部分を、図８に示す変形例のようにしてもよい。以下これを説明する。なお、図８において、前記実施の形態と同一或いは対応する部分には同一の符号を付している。この変形例では、ベース３の山側端部において、上面３１を折り曲げた折曲面部３１Ｂが形成されている。この折曲面部３１Ｂには、ボルト孔３１Ｃが形成されている。また、折曲面部３１Ｂにおけるボルト孔３１Ｃの谷側面には、ねじ座３１Ｄが溶接されている。一方、後座板１は、前記の後連結面部１１に相当する部分がベース取付面部１１Ｂとして形成されている。このベース取付面部１１Ｂには前記飛び長孔１４の機能をする飛び長孔１１Ｃが形成されている。また、前記のベース取付面部１２に相当する部分が補強面部１２Ｂとして形成されている。したがって、この変形例では、次のように固定される。後座板１の長手方向と直交する方向の谷側から、ベース３の山側端部をベース取付面部１１Ｂに当接するように差し込む。そして、ベース取付面部１１Ｂの飛び長孔１１Ｃに対し山側からボルト１６を挿通させ、折曲面部３１Ｂのボルト孔３１Ｃを介してねじ座３１Ｄに、このボルト１６を螺合する。これにより、ベース３が後座板１に固定される。なお、この変形例の場合には、飛び長孔１１Ｃを利用して針金６３の一端を固定するようにしてもよい。
【００６１】
（４）また、前記実施の形態におけるステー４の下端部、特に前座板２に固定する部分を、図９に示す変形例のようにしてもよい。なお、図９においては、前記実施の形態と同一或いは対応する部分には同一の符号を付している。この変形例では、ステー４の下端部において、前面壁部４３を折り曲げた折曲面部４３Ｂが形成されている。この折曲面部４３Ｂには、ボルト孔４３Ｃが形成されている。また、折曲面部４３Ｂにおけるボルト孔４３Ｃの山側面には、ねじ座４３Ｄが溶接されている。一方、前座板２は、前記の前連結面部２１に相当する部分がステー取付面部２１Ｂとして形成されている。このステー取付面部２１Ｂには前記飛び長孔２４の機能をする飛び長孔２１Ｃが形成されている。また、前記のステー取付面部２２に相当する部分が補強面部２２Ｂとして形成されている。したがって、この変形例では、次のように固定される。前座板２の長手方向と直交する方向の上方から、ステー４の下端部をステー取付面部２１Ｂに当接するように差し込む。そして、ステー取付面部２１Ｂの飛び長孔２１Ｃに対し谷側からボルト２６を挿通させ、折曲面部４３Ｂのボルト孔４３Ｃを介してねじ座４３Ｄにこのボルト２６を螺合する。これにより、ステー４が前座板２に固定される。
【００６２】
（５）前記実施の形態においては、後座板１と前座板２とを共通化しているが、必ずしもそのようにする必要はない。この場合には後座板１と前座板２とにおける後支持面部１３及び前支持面部２３の形状を変更して、後支持面部１３及び前支持面部２３の傾斜角度を屋根１００に対しより一層密接するようにしてもよい。
【００６３】
（６）前記実施の形態においては、エアコン室外機を、エアコン室外機の長手方向が屋根の傾斜方向に直交する方向に設置される例で示しているが、エアコン室外機を、エアコン室外機の長手方向が屋根１００の傾斜方向に一致する方向に設置する屋根置台に変更することもできる。
【００６４】
（７）後座板１、前座板２、ベース３、ステー４及び補強部材５をアルミニウム又はアルミニウム合金製ではなく、他の軽金属材料や鉄系金属製とすることもできる。
（８）ステー４は、前記実施の形態においては断面形状が略Ｕ字状に形成されていたが、スライドできる形状であればＣ字状などの他の形状としてもよい。
【００６５】
（９）ベース３の水平出しが完了した屋根置台は、次のようにして建物の壁内の柱６１に引き留めることもできる。すなわち、水平出しが完了した屋根置台における後座板１の後連結面部１１を建物の壁内の柱６１に当接させる。そして、後連結面部１１の谷側面からヒートン釘６２を長孔１５を挿通させて柱６１に打ち付ける。このようにすると、針金６３を使用せずに後座板１を柱６１に直接固定することができる。
【産業上の利用可能性】
【００６６】
本発明に係るエアコン室外機の屋根置台は、屋根の上に設置されるエアコン室外機の置台として利用される。エアコン室外機は、家庭用、業務用を問わない。
【図面の簡単な説明】
【００６７】
【図１】本発明の実施の形態に係るエアコン室外機の屋根置台の据付状態の斜視図である。
【図２】同屋根置台におけるベースと後座板との固定要領図である。
【図３】同屋根置台におけるステーと前座板との固定要領図である。
【図４】同屋根置台を地上で組み立てて屋根上に設置した状態図であって、（ａ）はベースの水平出し前の状態図であり、（ｂ）はベースの水平出しを行った後の状態図である。
【図５】同屋根置台を、傾斜角度が小さい屋根上に設置した状態図である。
【図６】同前記実施の形態における後座板の後連結面部の変形例である。
【図７】同前記実施の形態における前座板の前連結面部の変形例である。
【図８】同実施の形態におけるベースの山側端部を後座板に固定する部分の変形例である。
【図９】同実施の形態におけるステーの下端部を前座板に固定する部分の変形例である。
【図１０】従来例に係るエアコン室外機の屋根置台の据付状態の斜視図である。
【図１１】同屋根置台におけるベースと後座板との結合部の側面図である。
【図１２】同屋根置台におけるステーと前座板との結合部の側面図である。
【図１３】図１１におけるＡーＡ断面図である。
【図１４】図１２におけるＢーＢ断面図である。
【符号の説明】
【００６８】
１    後座板、２    前座板、３    ベース、４    ステー、５    補強部材、１１、１１Ａ  後連結面部、１１Ｂ，１２  ベース取付面部、１３  後支持面部、１３ａ、２３ａ  （根元）部分、１３ｂ、２３ｂ  （先端）部分、２１  前連結面部、２１Ｂ、２２  ステー取付面部、２３  前支持面部、１００  屋根
【図１】
0004668756.tif 000002
【図２】
0004668756.tif 000003
【図３】
0004668756.tif 000004
【図４】
0004668756.tif 000005
【図５】
0004668756.tif 000006
【図６】
0004668756.tif 000007
【図７】
0004668756.tif 000008
【図８】
0004668756.tif 000009
【図９】
0004668756.tif 000010
【図１０】
0004668756.tif 000011
【図１１】
0004668756.tif 000012
【図１２】
0004668756.tif 000013
【図１３】
0004668756.tif 000014
【図１４】
0004668756.tif 000015